(57)【要約】【課題】錠剤などの小型成形品の一端面を下向きとした所定姿勢として搬送ベルトにより搬送する搬送装置と、小型成形品を所定姿勢として整列させてから、搬送装置に向けて直線状に供給する整列供給装置と、の間で、小型成形品の姿勢を崩さず、しかも滞留が生じない円滑な受け渡しを行うことができる構成を廉価に提供する。【解決手段】整列供給装置と搬送装置との間の間隙部分に配置された中継板と、中継板と対向し、小型成形品の厚みに応じた中継路を画成する高さ規制ガイドと、中継板を通過する小型成形品の他端面に当接し、搬送ベルトに向けて移動させる力を付与する付勢ローラと、を備えた供給中継装置を、整列供給装置と搬送装置との間に介挿する。【選択図】図６
2020007118.tif 000002
【特許請求の範囲】
【請求項１】
厚み方向に対向する２端面を有する小型成形品の一端面を下向きとした所定姿勢として搬送ベルトにより搬送する搬送装置と、前記小型成形品を前記所定姿勢として整列させてから、前記搬送装置に向けて直線状に供給する整列供給装置と、の間で前記小型成形品を中継する小型成形品の供給中継装置であって、
前記中継を行うために前記整列供給装置と前記搬送装置とをつなぐように、前記整列供給装置と前記搬送装置との間の間隙部分に配置された中継板と、
該中継板と対向し、前記小型成形品の厚みに応じた中継路を画成する高さ規制ガイドと、
前記中継板を通過する前記小型成形品の他端面に当接し、前記搬送ベルトに向けて移動させる力を付与する付勢手段と、
を備えたことを特徴とする小型成形品の供給中継装置。
【請求項２】
前記付勢手段は、弾性を有する付勢ローラを含むことを特徴とする請求項１に記載の小型成形品の供給中継装置。
【請求項３】
前記中継板は、弾性を有する薄板を含むことを特徴とする請求項１または２に記載の小型成形品の供給中継装置。
【請求項４】
前記小型成形品の厚みに応じ、前記中継板からの前記高さ規制ガイドおよび前記付勢手段の高さ方向の位置が調整可能であることを特徴とする請求項１ないし３のいずれか一項に記載の小型成形品の供給中継装置。
【請求項５】
前記小型成形品の形状に応じ、前記付勢手段の搬送方向の位置が調整可能であることを特徴とする請求項１ないし４のいずれか一項に記載の小型成形品の供給中継装置。
【請求項６】
前記小型成形品の供給、中継および搬送を行う系統を複数有し、系統毎に前記位置が調整可能であることを特徴とする請求項４または５に記載の小型成形品の供給中継装置。
【請求項７】
厚み方向に対向する２端面を有する小型成形品に対して所定の処理を施す処理装置、および、該処理装置による処理に供するために前記小型成形品の一端面を下向きとした所定姿勢として搬送ベルトにより搬送する搬送装置と、を有する処理ラインと、
前記小型成形品を前記所定姿勢として整列させてから、前記搬送装置に向けて直線状に供給する整列供給装置と、
前記処理ラインおよび前記整列供給装置の間で前記小型成形品を中継する、請求項１ないし６のいずれか一項に記載の小型成形品の供給中継装置と、
を備えたことを特徴とする小型成形品の処理システム。
【請求項８】
前記整列供給装置は、前記供給中継装置への前記小型成形品の排出部分から、前記搬送ベルトの搬送方向における上流側の領域まで延在し、前記小型成形品の寸法に応じて前記搬送方向と交差する方向における前記中継路の幅方向の寸法を設定可能な幅規制ガイドを備えたことを特徴とする請求項７に記載の小型成形品の処理システム。
【請求項９】
前記処理ラインは、前記小型成形品を前記搬送ベルトに吸着させる吸引手段を有し、前記幅規制ガイドは、前記吸引手段によって前記搬送ベルトに前記小型成形品を吸着して拘束する実効的な吸引力が作用する領域に至るまで延在していることを特徴とする請求項８に記載の小型成形品の処理システム。
【請求項１０】
前記整列供給装置による前記小型成形品の供給速度をＶ１、前記整列供給装置の前記付勢手段との当接による前記小型成形品の移動速度をＶ２、前記搬送装置による前記小型成形品の搬送速度をＶ３とするとき、Ｖ１≦Ｖ２＜Ｖ３の関係を満たすことを特徴とする請求項７ないし９のいずれか一項に記載の小型成形品の処理システム。
【発明の詳細な説明】
【技術分野】
【０００１】
本発明は、小型成形品の供給中継装置および該装置を用いた小型成形品の処理システムに関する。詳しくは、所要の処理を施すために小型成形品を搬送する搬送装置と、その搬送装置に対して小型成形品を整列させた状態として供給する整列供給装置との間に介挿される供給中継装置、およびこれらの装置を用いた小型成形品の処理システムに関するものである。
【背景技術】
【０００２】
小型成形品、例えば厚み方向に対向する２端面を有する錠剤に対しては、製造後に種々の処理が施される。例えば、外観に関しては、欠け、割れ、変形、ひび、傷、汚れ、変色、コーティング層の剥がれその他の形状の異常の有無を判定する検査が施される。また、昨今では錠剤種別などを認識するために、錠剤表面に識別情報などを印刷する処理を行う場合も増えてきている。これらの処理は、錠剤を搬送装置によって搬送する過程で行われるのが一般的である。したがって、搬送装置には、すべての錠剤に対して一様で安定した処理を行う上で、錠剤を処理に適した目標姿勢に維持し、且つ揺れのない安定した状態で搬送することが求められる。また、整列供給装置には、錠剤を予め目標姿勢として整列させた上で、搬送装置に供給することが求められる。
【先行技術文献】
【特許文献】
【０００３】
【特許文献１】特開２０１８−５２７２０号公報
【発明の概要】
【発明が解決しようとする課題】
【０００４】
例えば、整列供給装置および搬送装置がともに、一端面を下向きとした姿勢（すなわち厚み方向が搬送面に垂直となった姿勢）として錠剤を搬送する構成である場合、両者間では、錠剤の姿勢を崩さず、且つ揺らぎが生じず、しかも滞留（詰り）が生じない円滑な受け渡しを行うことが要望される。また、そのような円滑な受け渡しを行う上で、整列供給装置および搬送装置を含んだ搬送系の大型化や、製造およびメンテナンスコストの増大を生じさせないことが要望される。
【０００５】
よって本発明は、これらの要望を充足することのできる小型成形品の供給中継装置を提供し、ひいては搬送過程で施される処理が正確に行われるようにすることを目的とする。
【課題を解決するための手段】
【０００６】
そのために、本発明は、厚み方向に対向する２端面を有する小型成形品の一端面を下向きとした所定姿勢として搬送ベルトにより搬送する搬送装置と、前記小型成形品を前記所定姿勢として整列させてから、前記搬送装置に向けて直線状に供給する整列供給装置と、の間で前記小型成形品を中継する小型成形品の供給中継装置であって、前記中継を行うために前記整列供給装置と前記搬送装置とをつなぐように、前記整列供給装置と前記搬送装置との間の間隙部分に配置された中継板と、該中継板と対向し、前記小型成形品の厚みに応じた中継路を画成する高さ規制ガイドと、前記中継板を通過する前記小型成形品の他端面に当接し、前記搬送ベルトに向けて移動させる力を付与する付勢手段と、を備えたことを特徴とする。
【発明の効果】
【０００７】
本発明によれば、錠剤の姿勢を崩さず、しかも滞留が生じない円滑な受け渡しを行うことができる構成を廉価に実現できる。また、この結果、錠剤に対し所要の処理を施す処理装置による正確な処理が担保される。
【図面の簡単な説明】
【０００８】
【図１】本発明の一実施形態を適用可能な錠剤の処理システムの概略構成を説明するための模式的立面図である。
【図２】図１のシステムに用いられる整列供給装置をほぼ上方から見た斜視図である。
【図３】図２の整列供給装置に用いられる錠剤の搬送部を示す斜視図である。
【図４】図１のシステムに用いられる水平搬送装置を含む錠剤の処理ラインを示す斜視図である。
【図５】図２の整列供給装置と図４の水平搬送装置との連結部位を拡大して示す斜視図である。
【図６】図５の連結部位に、一実施形態に係る供給中継装置を配置した状態を示す斜視図である。
【図７】整列供給装置の一部の部品を取り外した状態で連結部位を示す側面図である。
【図８】図６の供給中継装置の上下ユニットを分離させた状態で示す斜視図である。
【図９】一実施形態による錠剤の供給中継の態様を説明するための説明図である。
【図１０】一実施形態による錠剤の供給中継の態様を説明するための説明図である。
【図１１】一実施形態による錠剤の供給中継の態様を説明するための説明図である。
【図１２】一実施形態による錠剤の供給中継の態様を説明するための説明図である。
【図１３】（ａ）および（ｂ）は、供給される錠剤の姿勢が崩れている状態を説明するための説明図である。
【発明を実施するための形態】
【０００９】
以下、図面を参照して本発明を詳細に説明する。  
なお、以下においては、小型成形品として錠剤を例示する。また、着目位置における錠剤の供給ないしは搬送方向をＸ方向、これと交差する方向をＹ方向と定義する。さらに、「搬送面」とは、錠剤を搬送している部材（搬送ベルト等）において、錠剤の支持および搬送に関与する面を言い、以下の実施形態では搬送面が水平である構成を例示するが、好ましくない滑りなどの不都合な搬送が生じない範囲で、水平面に対して搬送面が傾いた構成であってもよい。加えて、「上流」および「下流」とは、搬送方向Ｘに関し搬送面上の位置または部位を説明するために使用され、「上向き」（または「上側」」および「下向き」（または下側））とは、必ずしも鉛直方向ではなく、搬送面に対する垂直方向に関して定義される。
【００１０】
（処理システムの概要）
図１は、一実施形態に係る錠剤の処理システムの概略を示す立面図である。錠剤を搬送する過程で所要の処理を施す処理ライン１に対しては、供給部３から錠剤が供給される。供給部３は、ホッパ３１と、整列供給装置３２と、これらを接続する搬送台３３と、から構成される。ホッパ３１は、処理システムに供給すべき錠剤を貯留し、適宜の量の錠剤を搬送台３３に供給する。搬送台３３は整列供給装置３２に向かって下方に傾斜する傾斜面を有し、例えば振動フィーダの振動が伝達されることで、錠剤は整列供給装置３２に向かって傾斜面を円滑に滑落して行く。整列供給装置３２は、搬送台３３から供給された個々の錠剤を重なり合うことなく整列させ、且つ所定姿勢である目標姿勢とした状態（一端面が搬送面に支持された姿勢、すなわち厚み方向が搬送面に垂直となった姿勢）で処理ライン１の水平搬送装置１００に受け渡す。
【００１１】
（整列供給装置）
図２は、整列供給装置３２をほぼ直上からみた斜視図である。ここでは、リターン機構３２３を挟んで線対称に配され、搬送台３３を滑落してくる錠剤を受容して処理ライン１に向けて搬送する同一構成の２系統の搬送部３２１を有しているものが例示されている。また、図３は処理ライン１に対する搬送部３２１の一方を示している。
【００１２】
搬送部３２１の搬送路３２５は、搬送台３３の傾斜面に接続され、供給されてきた錠剤Ｔを整列させ、且つ所定の姿勢に規制しながら処理ライン１に向かって搬送する。各搬送路３２５は、錠剤Ｔを矢印Ｘで示す搬送方向に搬送する搬送ベルト３２７と、錠剤Ｔを案内するガイド側面３２９ａが形成されたガイド部材３２９とを含む。各搬送ベルト３２７は無端式のベルトコンベアの形態であり、錠剤Ｔの搬送面が前段の搬送台３３から後述する供給中継装置まで延在するように、２つのローラ３３０間に張架され、駆動される。
【００１３】
ガイド部材３２９は搬送ベルト３２７の直上に配置され、そのガイド側面３２９ａは、搬送方向Ｘの下流に向かって搬送ベルト３２７を斜めに遮って横断するように形成されている。すなわち、ガイド部材３２９のガイド側面３２９ａは、錠剤Ｔの上流側の錠剤受容部位（搬送台３３の傾斜面との接続部位）では搬送ベルト３２７の幅にほぼ等しい搬送路３２５を画成する一方、下流に行くに従ってリターン機構３２３側に近づき、錠剤Ｔの搬送路３２５の幅を漸次狭めて行く。ガイド側面３２９ａは、搬送方向Ｘの最下流部位に位置する規制部３４０の入口近傍において幅が最も狭くなり、搬送される錠剤Ｔの直径にほぼ等しい幅となる搬送路３２５を画成する。
【００１４】
ガイド部材３２９は、搬送面と平行な方向であって且つＹ方向に移動可能であり、位置調整部材３３１によりガイド部材３２９ひいてはガイド側面３２９ａを移動させることで、搬送される錠剤Ｔの大きさに対応して搬送路３２５の幅を調整できるように構成されている。ガイド部材３２９は、搬送方向最下流側に配される規制部３４０を支持している。規制部３４０は、処理ライン１との連結部分に配置され、搬送されてくる錠剤Ｔの幅および高さを最終的に規制し、目標姿勢となって１錠ずつ分離した状態で整列した錠剤Ｔのみの通過を許容する一方、その他の錠剤Ｔをリターン機構３２３側に排除する機能を果たす。
【００１５】
規制部３４０は、搬送ないし検査の対象となる錠剤Ｔの高さ寸法（厚み）に応じた開口部３４７を搬送路３２５上で画成する高さ規制ゲート３４６を有する。高さ規制ゲート３４６は、ガイド側面３２９ａに連続する部分から下流に向うにつれてリターン機構３２３側に近づくよう、搬送路３２５の上を斜めに横切る形状とされる。高さ規制ゲート３４６は、調整部材３４４により高さ方向の位置を調整することで、錠剤Ｔの厚みに対応した高さを設定することが可能である。開口部３４７は規制部３４０を貫通する貫通路の一端をなしており、貫通路の他端は錠剤Ｔを処理ユニット１の水平搬送装置１００に向けて排出する排出部分となっている。
【００１６】
符号３５１で示すものは、その排出口から水平搬送装置１００上まで延在して、錠剤ＴのＹ方向のずれを規制し、１列に整列した状態とするための幅規制ガイドである。幅規制ガイド３５１は、錠剤Ｔの幅（平面視にて円形状の錠剤であれば直径）に対応した間隔をおいて配置される２本のガイド要素３５１ａ，３５１ｂからなり、調整部材３４２によりガイド要素３５１ｂのＹ方向の位置を調整することで、錠剤Ｔの幅に対応した間隔を設定可能である。調整部材３４２および３４４としては、例えば、マイクロメータなどで採用されている定圧機構を備えた精密ねじ送り機構を用いたものとすることがでる。これによれば、オペレータは、間隔を目視しながら自らの感覚に基づいて、または、錠剤Ｔの搬送状態を確認しながら、調整部材３４２および３４４の位置調整を簡単に行うことができる。
【００１７】
幅規制ガイド３５１の搬送中心軸は、水平搬送装置１００の搬送ベルト１０９の搬送中心軸と位置合わせされていることが強く望ましい。そのため、調整部材３４２の調整によりガイド要素３５１ａに対するガイド要素３５１ｂの位置を変化させた場合、位置調整部材３３１によりガイド部材３２９全体の位置を変化させることで、両搬送中心軸の位置合わせを行うことができる。
【００１８】
高さ規制ゲート３４６の搬送方向最下流側の端部に連続して排除部材３４８が設けられており、この排除部材３４８は当該連続部分から下流に向うにつれてリターン機構３２３の上方に張り出す形状とされる。これにより、開口部３４７を通過できなかった錠剤Ｔは、排除部材３４８に当接して案内されることで、リターン機構３２３に排除される。排除された錠剤Ｔはリターン機構３２３によって搬送方向Ｘと反対方向に導かれ、搬送路３２５の上流側に戻される。
【００１９】
（処理ライン）
処理ライン１は、矢印Ｘの方向に錠剤Ｔを搬送する水平搬送装置１００と、錠剤を水平搬送装置１００からピックアップし、矢印Ｒの方向に回転搬送する回転搬送装置（第２搬送部）２００とを備える。それぞれの搬送面に対向して、検査または印刷に係る処理を行うための処理装置が配設される。つまり処理装置は、錠剤の搬送の過程で、上面側すなわち搬送装置の搬送面に接していない側の錠剤の他端面の側の部分に対して所要の処理を施す。そして、処理ライン１を錠剤の形状検査ラインとして構成する場合には、搬送方向Ｘ，回転方向Ｒのそれぞれの上流側から下流側にかけて並置される処理装置１５０，２５０；１６０，２６０および１７０，２７０として、それぞれ、側面検査装置；端面検査装置および色検査装置を配置することができる。処理ライン１を印刷ラインとして構成する場合には、上流側から下流側にかけて並置される処理装置１５０，２５０；１６０，２６０および１７０，２７０として、それぞれ、側面検査装置（または色検査装置）；印刷装置および色検査装置を配置することができる。なお、水平搬送装置１００の側および回転搬送装置２００の側に配置される処理装置の種類、個数および配置の順序は任意である。
【００２０】
図４は、水平搬送装置１００および回転搬送装置２００の構成を説明するための処理ライン１の斜視図である。水平搬送装置１００は、複数のローラ１０１間に張架された無端式の搬送ベルト１０３を備えるとともに、その裏面側に配され、搬送ベルト１０３の搬送面に錠剤Ｔを吸着させる吸引力を作用する吸引装置１０５を備える。搬送ベルト１０９は、整列供給装置３２の２系統の搬送部３２１に対応して２列備えられている。各搬送ベルト１０９は、Ｙ方向における錠剤の寸法（平面視にて円形端面を有する錠剤であれば直径）より小さい間隔を挟んで平行に配設され、錠剤を跨った状態として搬送する２本のベルト要素からなるものとすることができる。あるいは、吸引装置１０５の吸引力を錠剤に作用するための吸引口を設けた細長い平ベルト状のものであってもよい。搬送ベルト１０３に対向して配置された処理装置１５０、１６０および１７０による処理を経た錠剤は、搬送ベルト１０３と回転搬送装置２００との対向部分に搬送されて行く。この途中に、不良錠剤を排除する機構が設けられていてもよい。一方、水平搬送装置１００の搬送過程では欠陥や印刷不良などの異常が検出されなかった錠剤は、回転搬送装置２００にピックアップされる。
【００２１】
回転搬送装置２００は、概して、軸Ｏを中心として矢印Ｒ方向に回転するドラムユニット２０１と、処理ライン１の不図示のベースプレートに固定されて、ドラムユニット２０１を回転可能に支持する吸引シャフトユニット２３０と、を備える。ドラムユニット２０１は、中空円筒状のドラム本体２０７と、その両端に配設された２つのディスク２０８とを有する。各ディスク２０８は、錠剤の寸法より小さい間隔をおいてディスク２０８の外周に沿って配置され、錠剤を跨った状態として搬送する一対のベルト要素からなる搬送ベルト２０９を担持している。搬送ベルト２０９の中心位置は、水平搬送装置１００の搬送ベルト１０９の中心位置と位置合わせされている。
【００２２】
吸引シャフトユニット２３０は、中空円筒状のシャフトの形態を有し、一端側の部分はドラム本体２０７に挿入されるとともに、その側面にはドラム本体２０７の内部空間に連通する吸引孔を有する。一方、吸引シャフトユニット２３０の他端側の部分は真空ポンプ，真空ブロワ，真空エジェクタなどの吸引手段（不図示）に接続される。したがって、吸引手段の吸引力は、ドラム本体２０７およびディスク２０８の内部空間を介して、ベルト要素間の間隙部分に作用する。これにより、水平搬送装置１００の搬送ベルト１０９によって搬送されてきた錠剤はディスク２０８に吸引されてピックアップされて搬送される。
【００２３】
このように、本実施形態は、水平搬送装置１００から回転搬送装置２００へと錠剤を搬送することで、錠剤の表裏端面が反転する構造となる。したがって、処理装置１５０、１６０および１７０と、処理装置２５０、２６０および２７０とを、錠剤に対して処理を施す面を下向きとしたほぼ同じ姿勢で配置することができ、錠剤の両端面に対する処理を均一な精度で実施することができる。
【００２４】
（整列供給装置と水平搬送装置との連結部位）
図５は、整列供給装置３２と処理ユニット１の水平搬送装置１００との連結部位を拡大して示す図である。この図に示すように、幅規制ガイド３５１は、規制部３４０の錠剤排出口から、整列供給装置３２の搬送ベルト３２７の最下流端と、整列供給装置３２および処理ユニット１の間隙部分Ｇとを越え、水平搬送装置１００の搬送ベルト１０９の上流側の実効的な吸着領域Ｅ（後述）まで延在している。
【００２５】
ここで、整列供給装置３２および処理ユニット１との間隙部分Ｇを越えて錠剤が受け渡されるようにするために、従来は間隙部分Ｇの下側に中継部材を配置することが一般的であった。しかしながら、間隙部分Ｇでは、搬送ベルト３２７による搬送が終了して慣性力のみで錠剤が移動すること、また実際には中継部材から摩擦抵抗を受けることになる。すると錠剤が減速し、後続の錠剤が追突することで姿勢が乱れ、この結果滞留が生じることがあった。本発明者らは、間隙が僅か３０ｍｍ程度でも滞留が生じる場合があることを確認している。これに対処するために、移動して行く錠剤の後方より送風を行う構成が採用されているものもあるが、送風による姿勢の乱れが生じたり、また特に、対向する一対の端面の各々が外方に膨出する曲面をなす膨出部を有しているＲ付き錠と称される錠剤では揺らぎが生じたりすることがあった。
【００２６】
さらに、特許文献１に記載された技術を応用し、吸引力の作用に伴って錠剤を吸着する吸着孔を配列した吸着ベルトを含んだ中継装置を間隙部分の上方に配置し、整列供給装置３２の搬送ベルト３２７の搬送面の最下流端部位から錠剤を吸着孔に吸着させて移送した後に、吸着解除位置で水平搬送装置１００の搬送ベルト１０９に受け渡すようにする構成も考えられる。しかし本実施形態のように基本的に錠剤を１列に整列させて搬送する構成に対しては、ランニングコストの増大や、中継装置を配置するスペースに起因したシステムの大型化を防ぐ観点から、より好ましい供給中継装置の適用が要望される。
【００２７】
（供給中継装置の実施形態）
そこで本実施形態では、以下のような供給中継装置を採用する。  
図６は、図５に示した連結部位に、一実施形態に係る供給中継装置を配置した状態を示す斜視図、図７は、供給中継装置４００の一部の部品を取り外した状態で連結部位を示す側面図、図８は図６の供給中継装置４００の上下のユニットを分離させた状態で示す斜視図である。特に図８に最もよく示されているように、本実施形態の供給中継装置４００は、概して、間隙部分Ｇの下方に位置する下側ユニット４１０と、上方に位置する上側ユニット４３０とから構成される。
【００２８】
下側ユニット４１０は、ねじ４１２により水平搬送装置１００の２つの搬送ベルト１０９間に位置する支持板１２０に固定されるベース４１４を有する。ベース４１４は、整列供給装置３２および処理ユニット１との間隙を埋めて幅規制ガイド３５１の直下に位置する部分を有する中継板４１６を、押さえ部材４１８との間で挟み込んだ状態で支持する。中継板４１６は、極力間隙部分Ｇの全体にわたるように、すなわち、整列供給装置３２側の搬送ベルト３２７の搬送面の最下流端と水平搬送装置１００側の搬送ベルト１０９の最上流位置とに極力近接できるようにするために、薄いほうが望ましい。また、摩擦抵抗が少なく、静電気が発生せず、且つ擦れが生じないようにするために滑らかな表面を有していることが好ましい。さらに、錠剤や食品である場合には、食品衛生法に適合していることが必要である。そのために、本実施形態では、厚さ０．１ｍｍ〜０．２ｍｍ程度のステンレス製の薄板にフッ素樹脂含有無電解ニッケルめっきを施した中継板４１６を用いる。
【００２９】
上側ユニット４３０は、ねじ４３２により下側ユニット４１０のベース４１４に固定される第２ベース４３４を有する。第２ベース４３４は、錠剤Ｔに対し搬送ベルト１０９へと押しやる力を作用する付勢手段、および、錠剤の寸法や形状に応じて付勢手段の位置を調整する調整機構などを支持する。
【００３０】
第２ベース４３４には、ねじ４３６によってプレート４３８が取り付けられる。プレート４３８のねじ４３６の挿通穴を長穴とすることで、第２ベース４３４に対するプレート４３８の前後方向（Ｘ方向およびこれと反対の方向）の位置を調整可能としてもよい。プレート４３８には、モータ４４０を支持する立ち上がり部４３８ａが設けられている。
【００３１】
モータ４４０の出力軸は、タイミングベルト４４２を介し、２列の搬送路に対応して設けられた一対の付勢ローラ４４４を連結するシャフト４４８に接続されている。付勢ローラ４４４は、図６および図７において矢印Ｒ１で示す方向へ回転しつつ、傾きのない目標姿勢となっている錠剤Ｔの上側端面の最高位部位（すなわち頂部）に当接する。このため、付勢ローラ４４４の幅方向の寸法は、幅規制ガイド３５１ａ，３５１ｂ間に設定され得る最小の隙間の寸法未満とされ、その隙間から中継板４１６の搬送面方向に移動できるものとされる。
【００３２】
なお、錠剤Ｔに負荷を与えて損傷することのないよう、付勢ローラ４４４は弾性を有することが強く望ましく、例えばシリコーンゴムやウレタンゴムなどの各種ゴム製、あるいはスポンジ製のローラを用いることができ、硬度についても錠剤Ｔとの関係において適宜定めることができる。また、付勢ローラ４４４の主たる機能は錠剤Ｔを搬送ベルト１０９へと押しやる力を付与することであり、モータ４４０の負荷は大きくないので、駆動源としてのモータ４４０には小型のＤＣモータを用いれば十分である。
【００３３】
符号４５０で示すものは、中継板４１６と対向し、錠剤Ｔの厚みに応じた中継路を画成する高さ規制ガイドであり、幅規制ガイド３５１によって左右方向（Ｙ方向およびこれと反対の方向）のずれが規制されながら中継板４１６上を移動する錠剤Ｔに対し、さらに中継板４１６からの高さを規制して錠剤の傾きや揺らぎを抑制する。高さ規制ガイド４５０は、その下端面から錠剤Ｔに対する付勢ローラ４４４の当接部分を僅かに突出させるように、付勢ローラ４４４をはさんで前後に分割されており、付勢ローラ４４４に対向する部分は付勢ローラ４４４の曲率に対応した曲率をもつ曲面となっている。付勢ローラ４４４の当接部分が幅規制ガイド３５１ａ，３５１ｂ間に進入して錠剤Ｔと当接させるために高さ規制ガイド４５０の下端面側も進入させる必要があれば、高さ規制ガイド４５０の幅方向の寸法は、幅規制ガイド３５１ａ，３５１ｂ間の隙間よりも小さいものとすればよい。
【００３４】
分割された高さ規制ガイド４５０は、取り付けブロック４５２を介して連結ブロック４５４に支持されている。付勢ローラ４４４、高さ規制ガイド４５０、取り付けブロック４５２、連結ブロック４５４およびシャフト４４８は一体に組み立てられており、その一体の組立体は、プレート４３８に対して高さ調整部材４５６により上下可能である。したがって、錠剤Ｔの高さ（厚み）に応じて高さ調整部材４５６を操作することで、中継板４１６からの付勢ローラ４４４および高さ規制ガイド４５０の適切な高さを設定できる。また、錠剤の形状に応じて付勢ローラ４４４の前後方向の位置を調整する場合には、ねじ４３６を緩め、第２ベース４３４に対してプレート４３８を長穴方向に移動させ、適切な位置でねじ４３６を締めればよい。なお、高さ調整部材４５６としては、上述した調整部材３４２および３４４と同等の構成を有するものを採用できる。
【００３５】
（錠剤の供給中継の態様）
図９〜図１２を用いて錠剤の供給中継の態様を説明する。  
図９は、整列供給装置３２側の搬送ベルト３２７から供給中継装置４００の中継板４１６に錠剤が移動するときの状態を示している。ここで、搬送ベルト３２７の搬送面から中継板４１６の搬送面へと錠剤Ｔが円滑に搬送されるようにするためには、両搬送面が同一平面上にあり、且つ隙間なく連続していることが理想的である。しかし搬送ベルト３２７は中継板４１６に接近する方向に駆動されているので、中継板が搬送ベルト３２７と接触またはあまりに接近していると、両者が干渉し、搬送ベルト３２７が損傷され得る。したがって、そのような干渉が生じないようにしつつ搬送ベルト３２７に対して中継板４１６をできるだけ近い位置とするために、上述のように厚み０．１〜０．２ｍｍ程度の中継板４１６を採用し、さらに、搬送ベルト３２７の搬送面よりも中継板４１６の搬送面を必要最低限（例えば０．１〜０．２ｍｍ程度）だけ低い位置に設定する。これに対し、水平搬送装置１００の搬送ベルト１０９は中継板４１６から離隔する方向に駆動されるので、仮に干渉が生じても損傷は生じにくい。このため、搬送ベルト１０９に対して中継板４１６をできるだけ近い位置に配置し、両者の搬送面を実質的に同一平面上にあるようにすることができる。
【００３６】
この結果、搬送ベルト３２７の搬送面と中継板４１６の搬送面との間には段差Ｄが生じる。図９はその段差Ｄによって錠剤Ｔが傾いた状態を示しており、この状態では、錠剤Ｔはまだ付勢ローラ４４４に接していない。錠剤Ｔは段差Ｄを通過し、高さ規制ガイド４５０によって傾きや揺らぎが抑制されつつ、中継板４１６上を移動する。したがって、仮に後続の錠剤が追いついても、先行錠剤の下端側に潜り込むような状態が生じることなく、滞留が防止される。
【００３７】
付勢ローラ４４４は、図１０に示すように、傾きや揺らぎが解消された目標姿勢となってから錠剤Ｔの頂部に当接して付勢力を作用する。付勢力は、錠剤Ｔを中継板４１６に対して押圧する力と、搬送ベルト１０９に向けて押しやる力となる。したがって、錠剤Ｔは、中継板４１６と高さ規制ガイド４５０とによって、図１１に示すように、目標姿勢が維持されながら搬送される。
【００３８】
高さ規制ガイド４５０は、図７に示すように、搬送ベルト１０９の実効的な吸着領域（吸引装置１０５により、搬送ベルト１０３に錠剤Ｔを吸着して拘束する吸引力が作用する領域）の手前の、吸引は開始されるが拘束には至らない領域Ｓに至るまで延在する。換言すると、搬送ベルト１０９の実効的な吸着領域Ｅより上流側の端部領域では、錠剤Ｔを拘束するような吸着力は作用しない。これは、実効的な吸着領域Ｅに至るまでは、高さ規制ガイド４５０および幅規制ガイド３５１によって錠剤は傾きやＹ方向のずれのない目標姿勢および位置に維持または矯正されるためであり、また、万一錠剤Ｔに傾きが生じていても、その姿勢のまま搬送ベルト１０９上に拘束されてしまうのを防止するためでもある。
【００３９】
以上の構成は、図１３（ａ）および（ｂ）に示すように、整列供給装置３２側の搬送ベルト３２７から供給中継装置４００の中継板４１６に錠剤Ｔが移動するときの姿勢が傾いていても有効である。すなわち、傾きにより目標姿勢の頂部より高くなっている部位があって、そこに付勢ローラ４４４が当接しても、付勢ローラ４４４は錠剤Ｔに過剰な負荷を与えることなく弾性変形しつつ、錠剤の姿勢を目標姿勢に矯正するからである。
【００４０】
錠剤には、種々の寸法や形状を有したものがある。そこで、上述したように、錠剤Ｔの高さ（厚み）に応じて高さ調整部材４５６を操作することで、中継板４１６からの付勢ローラ４４４および高さ規制ガイド４５０の適切な高さを設定できる。また、錠剤には、長径および短径をもつ、平面視にて楕円形状または長円形状を呈する、異形錠と称されるものがある。この異形錠が、長径方向をＸ方向として搬送される場合、その長径の寸法によっては、段差Ｄを通過する際の傾いた姿勢の状態で前端部が付勢ローラ４４４に当接し得る。すると、後端側が搬送面から浮き上がることで、後続の異形錠の前端部がそこに潜り込み、滞留が生じる恐れがある。このような場合は、第２ベース４３４に対するプレート４３８の取り付けねじ４３６と、これを挿通する長穴とで構成される前後方向位置の調整手段を操作し、付勢ローラ４４４をＸ方向に偏倚させればよい。
【００４１】
また、錠剤の形状や寸法に応じ、整列供給装置３２の搬送ベルト３２７の速度が調整される。したがって、これに応じて付勢ローラ４４４の周速度が設定されるように、モータ４４０が制御される。なお、搬送ベルト３２７の搬送速度すなわち錠剤の供給速度をＶ１、付勢ローラ４４４の周速度すなわち錠剤の移動速度をＶ２、搬送ベルト１０９の搬送速度をＶ３とすると、Ｖ１≦Ｖ２＜Ｖ３の関係があることが好ましい。Ｖ２＜Ｖ３とすることで、搬送ベルト１０９に移行した後、先行する錠剤と後続の錠剤との間に所定距離を確保できる。所定距離とは、先行錠剤と後続錠剤との間に適切な間隔を置くことで検査や印刷などの処理に支障を来たさない距離であり、速度Ｖ３はその所定距離が確保されるように設定される。また、速度Ｖ２は速度Ｖ１と等しく設定されてもよいが、搬送ベルト１０９に移行するまでにある程度の錠剤間距離を確保することが望ましい場合には、速度Ｖ２が速度Ｖ１より若干高くなるように設定を行うことができる。なお、速度Ｖ１については、錠剤の寸法や形状等に基づいて、理論的または実験的に設定することができるので、その設定速度に連動して自動的に速度Ｖ２およびＶ３を設定するようにしてもよい。また、速度センサ等を用いて速度Ｖ１を検出し、これに応じて速度Ｖ２およびＶ３が設定されてもよい。
【００４２】
（その他）
本発明は、以上説明した実施形態および随所に述べた変形例に限られない。  
例えば、上述した実施形態では、錠剤の整列供給、供給中継および処理に関し、２系統で搬送を行う構成を例示したが、１系統のみを備えた構成でもよいし、３以上の複数の系統を備えた構成でもよい。
【００４３】
また、上述した実施形態に係る供給中継装置では、２系統に対応した組立体として一括した高さ調整を行うようにしたが、組み立て精度を考慮し、系統毎に高さ調整を行える構成を採用してもよい。この場合、各付勢ローラ４４４に対して、それぞれ高さ規制ガイド４５０、取り付けブロック４５２、連結ブロック４５４、シャフト４４８およびタイミングベルト４４２を設ければよい。駆動源については、２つのモータを用意してもよいし、両軸モータを用いて各軸と各シャフトとを連結してもよい。
【００４４】
さらに、上述の実施形態では各系統について１つの付勢ローラを設けた付勢手段について説明したが、搬送方向Ｘに沿って２以上の付勢ローラを配置した構成とすることもできる。あるいは、付勢ローラを用いる代わりに、２つのプーリ間に張架した無端ベルトを用いる構成であってもよい。
【００４５】
加えて、付勢手段の当接によって錠剤Ｔは中継板４１６にも付勢されることになるが、中継板４１６を弾性を有する材料（例えばステンレスのばね材）で形成し、錠剤Ｔに過剰な負荷が作用しないようにすることもできる。
【００４６】
さらに加えて、上述の実施形態では、ほぼ直線状に錠剤を搬送しながら整列させる整列供給装置を用いた処理システムを説明した。しかし本発明は、中継供給装置との接続部分において直線状に錠剤を搬送する構成であれば好ましく適用できる。例えば、円運動させながら遠心力を利用して錠剤を整列させた後、直線状すなわち接線方向に錠剤を搬送する整列供給装置を用いた構成であってもよい。
【００４７】
また、以上の実施形態では小型成形品として錠剤を例示したが、本発明は、錠剤のみならず粒状の菓子その他の小型成形品の処理システムにも適用できることは勿論である。
【符号の説明】
【００４８】
１  処理ライン
１００  水平搬送装置
１０９  搬送ベルト
３  供給部
３２  整列中継装置
３２１  搬送部
３２７  搬送ベルト
３２９  ガイド部材
３３１  位置調整部材
３４０  規制部
３４６  高さ規制ゲート
３５１  幅規制ガイド
４００  供給中継装置
４１６  中継板
４４０  モータ
４４４  付勢ローラ
４５０  高さ規制ガイド
４５６  高さ調整部材
【図１】
2020007118.tif 000003
【図２】
2020007118.tif 000004
【図３】
2020007118.tif 000005
【図４】
2020007118.tif 000006
【図５】
2020007118.tif 000007
【図６】
2020007118.tif 000008
【図７】
2020007118.tif 000009
【図８】
2020007118.tif 000010
【図９】
2020007118.tif 000011
【図１０】
2020007118.tif 000012
【図１１】
2020007118.tif 000013
【図１２】
2020007118.tif 000014
【図１３】
2020007118.tif 000015